(57)【特許請求の範囲】
【請求項１】
建物の内装を形成するための内装用パネルであって、その表面に内装仕上げが施される板状の内装下地材と、この内装下地材の裏面に設けられた金属製の芯材と、前記内装下地材の裏面のうち前記芯材の設けられた部分を除く全面を覆う主断熱材と、この主断熱材に連続して設けられ前記芯材の前記内装下地材側の面と反対側の面を覆う副断熱材とを備え、前記主断熱材は、前記内装下地材の厚み方向における前記芯材の幅よりも大きい厚みを有し、前記副断熱材は、前記芯材と略同じ長さを有し、前記厚み方向と直交する方向における幅が前記芯材の幅より大きく、当該直交する方向における前記芯材の両端部から突出しており、前記主断熱材よりも硬質であることを特徴とする内装パネル。
【請求項２】
請求項１に記載の内装パネルにおいて、
前記主断熱材を挟んで前記内装下地材とは反対側の面に前記主断熱材および副断熱材を覆う第２の内装下地材を備えたことを特徴とする内装パネル。
【請求項３】
請求項１または２に記載の内装パネルにおいて、
前記副断熱材は、ロックウールを所定形状の袋内に充填することにより形成されていることを特徴とする内装パネル。
【請求項４】
請求項１から３のいずれかに記載の内装パネルにおいて、
前記芯材は断面コの字形状であって、その開口面を挟む２側面に前記内装下地材および副断熱材が取り付けられていることを特徴とする内装パネル。
【発明の詳細な説明】
【０００１】
【発明の属する技術分野】
本発明は、例えば、住宅、ビルディング等の建物の内装を形成する内装パネルに関する。
【０００２】
【背景技術】
従来、住宅、ビルディング等の建物には、建物の内外を仕切る外壁と、建物の内装を形成する内壁とが設けられる。
内壁としては、外壁の屋内側に設けられた内周壁や、各居室空間を仕切る間仕切壁があり、これらの内壁は、床に沿って内装パネルが複数立設されて形成される。内装パネルは、木製の芯材を枠状に組んだ枠体と、この枠体の表面に張り付けられる石膏ボード等の内装下地材と、この内装下地材表面に設けられた内装仕上材とから形成されている（特開平９−１００５９０号公報等参照）。
【０００３】
一方、建物の居住性を良好に保つため、建物には冷暖房装置が設けられる。冷暖房装置は、夏は室内の空気を冷やし、冬は室内の空気を暖めることによって、室温を調節するものである。したがって、室内を冷暖房することによって、室内と室外で温度差が生じるため、内装パネルのうち枠体部分を除く内装下地材の裏面全面にグラスウール等の断熱材を設けて、断熱性を高めることが行われている。
【０００４】
【発明が解決しようとする課題】
ところで、近年、地球環境の保護の観点から、木材の利用を抑制することが求められている。しかし、芯材を木製から金属製に変更した場合、金属の熱伝導率が木材に比べて高いため、断熱効果が低下するおそれがあった。
さらに、従来の芯材は内装パネルの裏面に露出しているため、内装下地材の裏面全面に断熱材が設けられていても、室内の熱が芯材を通して内装パネルの裏側の空間に逃げてしまったり、逆に、内装パネルの裏側の空間の熱が芯材を通して室内に入ってきてしまう傾向があった。
【０００５】
本発明の目的は、断熱性に優れた内装パネルを提供することにある。
【０００６】
【課題を解決するための手段】
上記目的を達成するため、本発明の内装パネルは、次の構成を採用する。
本発明を図面を参照して説明すると、請求項１に記載の内装パネル３１は、建物１の内装を形成するための内装用パネルであって、その表面に内装仕上げが施される板状の内装下地材３２と、この内装下地材の裏面に設けられた金属製の芯材３６と、前記内装下地材の裏面のうち前記芯材の設けられた部分を除く全面を覆う主断熱材３４と、この主断熱材に連続して設けられ前記芯材の前記内装下地材側の面と反対側の面を覆う副断熱材３５とを備え、前記主断熱材は、前記内装下地材の厚み方向における前記芯材の幅よりも大きい厚みを有し、前記副断熱材は、前記芯材と略同じ長さを有し、前記厚み方向と直交する方向における幅が前記芯材の幅より大きく、当該直交する方向における前記芯材の両端部から突出しており、前記主断熱材よりも硬質であることを特徴とする。
【０００７】
この発明によれば、内装下地材の裏面のうち芯材の設けられた部分を除く全面を主断熱材で覆ったので、主断熱材によって、室内の熱が内装パネルの裏面側に逃げるのを防止でき、また、内装パネルの裏面側の熱が室内に入ってくるのを防止できる。
さらに、主断熱材に連続して設けられ内装下地材の裏面に芯材の内装下地材側の面と反対側の面を覆う副断熱材を含んで内装パネルを構成したので、副断熱材が主断熱材と連続することによって、室内の熱が芯材に伝達されても、芯材に伝達された熱が内装パネルの裏面側に逃げるのを防止でき、また、内装パネルの裏面側の熱が芯材を通して室内に入ってくるのを防止できる。したがって、内装パネルの断熱性を向上できる。
さらに、前記副断熱材は、前記芯材と略同じ長さを有し、前記芯材の幅より大きい幅を有している。したがって、副断熱材の幅を芯材より大きい幅としたので、副断熱材が主断熱材にまで達し、芯材が完全に隠れるから、例えば、室内から内装下地材、芯材を介して熱が逃げるのを確実に抑えることができる。
【０００８】
請求項２に記載の内装パネルは、請求項１に記載の内装パネルにおいて、
前記主断熱材を挟んで前記内装下地材とは反対側の面に前記主断熱材および副断熱材を覆う第２の内装下地材３２を備えたことを特徴とする。
この発明によれば、主断熱材を挟んで内装下地材とは反対側の面に主断熱材および副断熱材を覆う第２の内装下地材を設けたので、内装パネルの表裏面に内装仕上を施すことができるから、内装パネルを居室空間を仕切る間仕切壁として利用できる。
【００１０】
請求項３に記載の内装パネルは、請求項１または２に記載の内装パネルにおいて、
前記副断熱材は、ロックウール５６を所定形状の袋５７内に充填することにより形成されていることを特徴とする。
この発明によれば、断熱性を有するロックウールを所定形状の袋内に充填して副断熱材を形成したので、副断熱材が安定した一定形状となるから、容易に施工できるうえに、長期間使用できる。
また、ロックウールは、グラスウールに比べ、より硬質なフェルト状となるから、副断熱材に第２の内装下地材を取り付けた場合でも、この第２の内装下地材を確実に固定することができる。
【００１１】
請求項４に記載の内装パネルは、請求項１から３のいずれかに記載の内装パネルにおいて、
前記芯材は断面コの字形状であって、その開口面を挟む２側面３６Ａ、３６Ｃに前記内装下地材および副断熱材が取り付けられていることを特徴とする。
この発明によれば、芯材を断面コの字形状としたので、芯材の曲げ強度を向上できる。
さらに、その開口面を挟む２側面に内装下地材および副断熱材を取り付けたので、開口面に内装下地材および副断熱材を取り付ける場合に比べ、内装下地材および副断熱材の取り付けを容易に行うことができる。
【００１２】
【発明の実施の形態】
以下、本発明の一実施形態を図面に基づいて説明する。
図１および図２には、本発明の内装パネルを適用した建物１の１階平面図および断面図が示されている。
建物１は、工場で製造した箱状の建物ユニットを、建築現場で複数組み合わせて建築するユニット式建物である。このようなユニット式工法によれば、従来建築現場で行っていた作業がほとんど工場で行われることとなり、建築現場での作業が著しく軽減され、高品質の建物を短期間で建築できるという利点がある。
【００１３】
建物１は、基礎１１と、この基礎１１の上に設けられた建物本体１２と、この建物本体１２の上に設けられた屋根（図示省略）とを備えている。
このうち、建物本体１２は、１階部分１２Ａと、この１階部分１２Ａの上に設けられた２階部分１２Ｂとを備え、これら１階部分１２Ａおよび２階部分１２Ｂは、複数の建物ユニット２０が連結されて形成されている。
【００１４】
建物ユニット２０は、箱状のフレーム４０を有し、このフレーム４０には、外壁２１、この外壁２１の屋内側に設けられ内装を形成する内壁３０、天井２３、床２５、および屋内空間を仕切る間仕切壁２７が設けられている。
【００１５】
図３には、建物ユニット２０のフレーム４０の斜視図が示されている。
フレーム４０は、四隅の柱４１と、これら柱４１の上下端を連結する天井梁４２および床梁４３とを備えている。このうち、柱４１と天井梁４２とは、柱４１の柱頭側に配置される柱頭接合部材４５を介して連結され、柱４１と床梁４３とは、柱４１の柱脚側に配置される柱脚接合部材４６を介して連結されている。
天井梁４２としては、長さの異なる短辺天井梁４２Ａおよび長辺天井梁４２Ｂの二種類が設けられ、床梁４３としては、長さの異なる短辺床梁４３Ａおよび長辺床梁４３Ｂの二種類が設けられている。
【００１６】
外壁２１は、軽量気泡コンクリート等の外壁パネル２２が、建物本体１２の外周部分に沿って複数取り付けられて形成されている。
天井２３は、岩綿吸音板等の天井面材２４が、対向する長辺天井梁４２Ｂの間に架け渡された複数の天井小梁４２Ｃを介して、長辺天井梁４２Ｂに支持されることによって形成されている。
床２５は、パーチクルボード等の床面材２６が、対向する長辺床梁４３Ｂの間に架け渡された複数の根太４３Ｃを介して、長辺床梁４３Ｂに支持されることによって形成されている。
【００１７】
間仕切壁２７は、複数の間仕切パネル２８が立設されて形成され、この間仕切パネル２８は、互いに平行な２枚の内装下地材５２と、これら内装下地材５２の間に介装された互いに平行な２本の金属製の芯材５１と、これら芯材５１および内装下地材５２に囲まれた空間に充填された断熱材５３とを備えている。
【００１８】
内壁３０は、内装パネルとしての基準内装パネル３１と補助内装パネル３７との２種類のパネルが組み合わされて形成されている。
図４（Ａ）および（Ｂ）には、基準内装パネル３１の正面図および横断面図が示されている。
基準内装パネル３１は、その表面に内装仕上げが施される石膏ボード等の板状の内装下地材３２と、この内装下地材３２の裏面に設けられた金属製の２本の芯材３６と、内装下地材３２のうち芯材３６および後述するランナー材３８の設けられた部分を除く全面を覆う主断熱材３４と、この主断熱材３４に連続して設けられ芯材３６の内装下地材３２側の面と反対側の面を覆う副断熱材３５とを備えている。
２本の芯材３６は、内装下地材３２の長さ方向に沿って互いに平行に設けられている。
なお、基準内装パネル３１は、その上下端が後述するランナー材３８に固定されることによって建物ユニット２０に取り付けられるため、内装下地材３２の上下方向の長さは、芯材３６、副断熱材３５、および主断熱材３４の上下方向の長さよりも寸法Ｄだけ長くなっている。
【００１９】
図５には、基準内装パネル３１の拡大横断面図が示されている。
各芯材３６は、鋼板を断面コの字形状に折り曲げて形成され、開口面に対向する側面３６Ｂと、この開口面および側面３６Ｂを挟む側面３６Ａおよび側面３６Ｃとを備え、各面の幅寸法はＳとなっている。
また、各芯材３６において、その側面３６Ａの幅寸法Ｓのうちの内側の幅寸法Ｓ／２の部分には内装下地材３２が取り付けられ、その外側の幅寸法Ｓ／２の部分は内装下地材３２の水平方向両端から露出している。また、各芯材３６の側面３６Ｃには、副断熱材３５が取り付けられている。
【００２０】
主断熱材３４は、グラスウール５４を袋５５内に充填することにより形成されている。
副断熱材３５は、ロックウール５６を所定形状の袋５７内に充填することにより形成され、高さ方向の芯材３６と略同じ長さを有し、芯材３６の側面３６Ｃの幅寸法Ｓより大きい幅寸法Ｔを有している。
【００２１】
図６（Ａ）および（Ｂ）には、補助内装パネル３７の正面図および横断面図が示されている。
補助内装パネル３７は、内装下地材３２と、この内装下地材３２の裏面に設けられた主断熱材３４とを備えている。
主断熱材３４は、内装下地材３２の裏面のうち、その水平方向両端の幅寸法Ｓ／２および後述するランナー材３８の設けられた部分を除いて覆っている。
なお、補助内装パネル３７においても、基準内装パネル３１と同様に、内装下地材３２の上下方向の長さは、主断熱材３４の上下方向の長さよりも寸法Ｄだけ長くなっている。
【００２２】
内壁３０の組み立て方法は、以下のようになる。
まず、建物ユニット２０の床２５に墨出しして内壁３０の位置決めを行い、この墨に沿って、厚み寸法Ｄを有する木製のランナー材３８を天井２３および床２５にビス等で固定する。
次に、基準内装パネル３１の上下端をランナー材３８の側面に当接させてビス等で固定することによって、基準内装パネル３１を所定間隔おきに取り付ける。
次に、基準内装パネル３１の芯材３６の側面３６Ａの露出した部分に、補助内装パネル３７の水平方向両端部を係合させて、補助内装パネル３７を各基準内装パネル３１同士の間に配置し、基準内装パネル３１の芯材３６にビス等で固定する。
【００２３】
したがって、本実施形態によれば以下の効果がある。
（１）内装下地材３２の裏面のうち芯材３６およびランナー材３８の設けられた部分を除く全面を主断熱材３４で覆ったので、主断熱材３４によって、室内の熱が基準内装パネル３１の裏面側に逃げるのを防止でき、また、基準内装パネル３１の裏面側の熱が室内に入ってくるのを防止できる。
さらに、主断熱材３４に連続して設けられ芯材３６の内装下地材３２側の側面３６Ａと反対側の側面３６Ｃを覆う副断熱材３５を含んで基準内装パネル３１を構成したので、副断熱材３５が主断熱材３４と連続することによって、室内の熱が芯材３６に伝達されても、芯材３６に伝達された熱が基準内装パネル３１の裏面側に逃げるのを防止でき、また、基準内装パネル３１の裏面側の熱が芯材３６を通して室内に入ってくるのを防止できる。したがって、基準内装パネル３１の断熱性を向上できる。
【００２４】
（２）副断熱材３５を芯材３６の幅寸法Ｓより大きい幅寸法Ｔとしたので、副断熱材３５が主断熱材３４にまで達し、芯材３６が完全に隠れるから、例えば、室内から内装下地材３２、芯材３６を介して熱が逃げるのを確実に抑えることができる。
【００２５】
（３）断熱性を有するロックウール５６を所定形状の袋５７内に充填して副断熱材３５を形成したので、副断熱材３５を安定した一定形状で用いることができるから、容易に施工できるうえに、長期間使用できる。
【００２６】
（４）芯材３６を断面コの字形状としたので、芯材３６の曲げ強度を向上できる。
さらに、その開口面を挟む２側面３６Ａ、３６Ｃに内装下地材３２および副断熱材３５を取り付けたので、開口面に内装下地材３２および副断熱材３５を取り付ける場合に比べ、内装下地材３２および副断熱材３５の取り付けを容易に行うことができる。
【００２７】
（５）鋼板を折り曲げて芯材３６を形成したので、芯材３６を容易に形成することができ、芯材３６を安価に製造できる。
【００２８】
（６）断熱性を有するグラスウール５４を袋５５内に充填して主断熱材３４を形成したので、主断熱材３４が安定した一定形状となるから、容易に施工できるうえに、長期間使用できる。
【００２９】
なお、本発明は前記実施形態に限定されるものではなく、本発明の目的を達成できる範囲での変形、改良等は本発明に含まれるものである。
例えば、本実施形態では、基準内装パネル３１および補助内装パネル３７の表面にのみ内装下地材３２を設けたが、これに限らず、図７(Ａ)に示すように、主断熱材３４を挟んで内装下地材３２とは反対側の面に、主断熱材３４および副断熱材３５を覆う第２の内装下地材３２を設けて、基準内装パネル６０としてもよい。
【００３０】
このようにしても、前記実施形態で述べた(１)〜(６)の効果に加え、以下のような効果がある。
（７）基準内装パネル３１および補助内装パネル３７の主断熱材３４を挟んで内装下地材３２とは反対側の面に、主断熱材３４および副断熱材３５を覆う第２の内装下地材３２を設けたので、基準内装パネル３１および補助内装パネル３７の表裏面に内装仕上を施すことができるから、基準内装パネル３１および補助内装パネル３７を居室空間を仕切る間仕切壁として利用できる。
（８）副断熱材３５をロックウールで形成したので、グラスウールに比べ、より硬質なフェルト状となるから、第２の内装下地材３２を確実に固定することができる。
【００３１】
また、本実施形態では、内壁３０を基準内装パネル３１および補助内装パネル３７の２種類のパネルで形成したが、これに限らず、図７(Ｂ)に示すように、芯材３６および副断熱材３５が内装下地材３２の水平方向両端から露出していない基準内装パネル６１を用い、この１種類の基準内装パネル６１のみで内壁３０を形成してもよい。
このようにしても、前記実施形態で述べた(１)〜(６)と同様の効果がある。
【００３２】
【発明の効果】
本発明の内装パネルによれば、次のような効果が得られる。
請求項１に記載の内装パネルによれば、内装下地材の裏面のうち芯材の設けられた部分を除く全面を主断熱材で覆ったので、主断熱材によって、室内の熱が内装パネルの裏面側に逃げるのを防止でき、また、内装パネルの裏面側の熱が室内に入ってくるのを防止できる。
さらに、主断熱材に連続して設けられ内装下地材の裏面に芯材の内装下地材側の面と反対側の面を覆う副断熱材を含んで内装パネルを構成したので、副断熱材が主断熱材と連続することによって、室内の熱が芯材に伝達されても、芯材に伝達された熱が内装パネルの裏面側に逃げるのを防止でき、また、内装パネルの裏面側の熱が芯材を通して室内に入ってくるのを防止できる。したがって、内装パネルの断熱性を向上できる。
さらに、副断熱材の幅を芯材より大きい幅としたので、副断熱材が主断熱材にまで達し、芯材が完全に隠れるから、例えば、室内から内装下地材、芯材を介して熱が逃げるのを確実に抑えることができる。
【００３３】
請求項２に記載の内装パネルによれば、内装パネルの表裏面に内装下地材を設けて主断熱材および副断熱材を第２の内装下地材で覆ったので、内装パネルの表裏面に内装仕上を施すことができるから、内装パネルを居室空間を仕切る間仕切壁として利用できる。
【００３５】
請求項３に記載の内装パネルによれば、断熱性を有するロックウールを所定形状の袋内に充填して副断熱材を形成したので、副断熱材が安定した一定形状となるから、容易に施工できるうえに、長期間使用できる。
また、ロックウールは、グラスウールに比べ、より硬質なフェルト状となるから、副断熱材に第２の内装下地材を取り付けた場合でも、この第２の内装下地材を確実に固定することができる。
【００３６】
請求項４に記載の内装パネルによれば、芯材を断面コの字形状としたので、芯材の曲げ強度を向上できる。
さらに、その開口面を挟む２側面に内装下地材および副断熱材を取り付けたので、開口面に内装下地材および副断熱材を取り付ける場合に比べ、内装下地材および副断熱材の取り付けを容易に行うことができる。
【図面の簡単な説明】
【図１】本発明の一実施形態に係る内装パネルが適用された建物を示す１階平面図である。
【図２】前記実施形態に係る建物の断面図である。
【図３】前記実施形態に係る建物のフレームの斜視図である。
【図４】前記実施形態に係る内装パネルの正面図および横断面図である。
【図５】前記実施形態に係る内装パネルの拡大横断面図である。
【図６】前記実施形態に係る内装パネル同士の間に設けられるパネルの正面図および横断面図である。
【図７】本発明の変形例に係る内装パネルを示す横断面図である。
【符号の説明】
１              建物
３１，６０，６１  内装パネルとしての基準内装パネル
３２              内装下地材
３４              主断熱材
３５              副断熱材
３６              芯材
３６Ａ、３６Ｃ    側面
５４              グラスウール
５６              ロックウール
５７              所定形状の袋
【図１】
0004749609.tif 000002
【図２】
0004749609.tif 000003
【図３】
0004749609.tif 000004
【図４】
0004749609.tif 000005
【図５】
0004749609.tif 000006
【図６】
0004749609.tif 000007
【図７】
0004749609.tif 000008